(57)【特許請求の範囲】
【請求項１】
バックライトと液晶パネルが積層されたサポートメインと、前記液晶パネルの縁側と前記サポートメインを覆い、側面に少なくとも一つの円形部を有する十字ホールが形成されたケーストップと、スクリュー締結可能なインサートナットとを具備し、該インサートナットが前記ケーストップの前記十字ホールに圧入され、前記スクリューがインサートナットを貫通してサポートメインに形成されたスクリュー孔に挿入されることによって前記ケーストップと前記サポートメインとの固定が行われることを特徴とする液晶表示装置。
【請求項２】
前記インサートナットは、前記ケーストップの内側で外側へ前記円形の十字ホールが差し込まれた後、その上部が円形の十字ホールの周辺に圧着されて前記ケーストップに固定されていることを特徴とする請求項１に記載の液晶表示装置。
【発明の詳細な説明】
【０００１】
【発明の属する技術分野】
本発明は液晶表示装置に関し、特に液晶モジュールの固定用のナットの空回りを防止する液晶表示装置に関する。
【０００２】
通常、ノートブックコンピュータの表示装置として利用される液晶モジュールは図１及び図２に表したように、インサートナット（５４）が圧入されたサポートメイン（Ｓｕｐｐｏｒｔ／Ｍａｉｎ  ）（５８）と、サポートメイン（５８）の内部に積層されるバックライトユニット及び液晶パネルと、サポートメイン（５８）の一方の底面と側面を覆うカバーボトム（６２）と、サポートメイン（５８）と液晶パネルを固定するためのケーストップ（５２）とを具備する。サポートメイン（５８）は、その内部の側壁面が階段型の段差面で構成された成形品である。このサポートメイン（５８）の内部の最低層には導光板（１０）、反射鏡（１２）、上／下部の拡散シート（１４、２０）及び上／下部の拡散シート（１４、２０）及び上／下部フリーズムシート（１６、１８）と図示しないランプハウジングを含むバックライトユニットが装着されて、その上に偏光板（６、８）がそれぞれ付着された上／下部基板（２、４）とその間に液晶が注入された液晶パネルが積層される。サポートメイン（５８）の両側面に圧入されたインサートナット（５４）は黄銅で製作される。図示しないランプハウジングはランプが内装されてサポートメイン（５８）にネジで締結される。このようなランプハウジングはプラグ（６０）を通してインバータに接続される。カバーボトム（６２）は、サポートメイン（５８）の底面と側面を覆うために垂直に折り曲げられた平面部と側面部とから構成される。このカバーボトム（６２ａ）の側面部にはスクリュー（５６）が貫通するスクリューホール（６２ａ）が形成される。サポートメイン（５８）の側面に圧入されたインサートナット（５４）は、たとえば、黄銅で製作される。ケーストップ（５２）は直角に折り曲げられた平面部と側面部を有する長方形である。このケーストップの側面部にはスクリュー（５６）が貫通するスクリューホール（５２ａ）が形成される。
【０００３】
このような液晶モジュールは、ケーストップ（５２）の側面に形成されたスクリューホール（５２ａ）にスクリュー（５６）によって固定される。液晶モジュールの図２において左側に示した部分は、ケーストップ（５２）のスクリューホール（５２ａ）を貫通してサポートメイン（５８）に圧入されたスクリュー（５８）によって固定される。そして液晶モジュールの図２で右側に示した部分はケーストップ（５２）とケースボトム（６２）上に形成されたスクリューホール（５２ａ、６２ａ）を貫通してサポートメイン（５８）に圧入されたスクリュー（５８）によって固定される。
【０００４】
【従来の技術】
従来の液晶モジュールはインサートナット（５４）がサポートメイン（５８）の側面に対して垂直に圧入されなければならないが、斜めに圧入されてしまう場合があるという問題点があった。この場合、インサートナット（５４）の角度の不良によってインサートナット（５４）とスクリュー（５６）間に係合不良を誘発する。係合不良が発生すると、スクリュー（５６）とインサートナット（５４）が磨耗し、磨耗によって発生した電導性の異物が液晶パネル上のテープキャリアーパッケージ（Ｔａｐｅ  Ｃａｒｒｉｅｒ  Ｐａｃｋａｇｅ：ＴＣＰ）の接合部に吸着して、電極間の短絡を起こす。また、スクリュー（５６）の締結時に圧入不良が発生すると、スクリューの締結トルクが弱くなるためにスクリュー（５６）とインサートナット（５４）がサポートメイン（５８）で空回りする。
【０００５】
【発明が解決しようとする課題】
従って、本発明の目的はナットの空回りを防止するようにした液晶表示装置を提供することである。
【０００６】
【課題を解決するための手段】
前記目的を達成するために、本発明による液晶表示装置はバックライトユニットと液晶パネルが積層されたサポートメインと、液晶パネルの縁側と前記サポートメインを覆うケーストップと、ケーストップに圧入されてスクリュー締結によってケーストップとサポートメインを固定させるためのインサートナットとを具備する。
前記目的以外に本発明の異なる目的及び利点を添付した図面を参照した本発明の好ましい実施例に対する説明を通して明らかにする。
【０００７】
図３乃至図７を参照して本発明の好ましい実施例について説明する。
図３を参照すると、本発明による液晶表示装置はバックライトユニットと液晶パネルが積層されたサポートメイン（２８）と、インサートナット（２４）が圧入されてサポートメイン（２８）と液晶パネルを固定するためのケーストップ（５２）とを具備する。サポートメイン（２８）は、例えば、アーセイとパネルガイド（４２）の間に設置された第１シリコンパッド（５４）と、ポリカーボネートで成形される成形品であり、その内部の側面が階段型の段差面に成形される。サポートメイン（２８）の内部の最低層にはバックライトユニットが装着されて、その上に液晶パネルが積層される。このサポートメイン（２８）は別途のインサートナットが圧入されずに、成形時にスクリュー（２６）が差し込まれるスクリュー孔（２８ａ）が形成される。ケーストップ（２２）は図４のように直角に折り曲げられた平面部と側面部を有する四角形のステンレスで製作される。このケーストップ（２２）の側面部には図５ａ及び図５ａに表したように円形の十字ホール（２２ａ）が形成される。円形の十字ホール（２２ａ）にはスクリュー（２６）が貫通するインサートナット（２４）が圧入される。この円形の十字ホール（２２ａ）には図６ａのように上部の外径が円形の十字ホール（２２ａ）の円形ホールの直径以下に成形されて下部の外径が円形の十字ホール（２２ａ）の円形ホールの直径より大きいインサートナット（２４ａ）が内側から外側の方に差し込まれる。このインサートナット（２４ａ）のスクリューホールの直径はサポートメイン（２８）の側面部に形成されたスクリュー孔（２８ａ）のそれと同一である。インサートナット（２４ａ）の材質としては圧着によって形状変形が発生することができるように剛性が小さい、例えば、黄銅である。このようなインサートナット（２４ａ）はケーストップ（２２）の円形の十字ホール（２２ａ）に差し込まれた状態で上部が圧入されて上部がスクリューホールを中心に外側に離れた図６ｂのように円形の十字ホール（２２ａ）を圧着する。
【０００８】
このようにケーストップ（２２）にインサートナット（２４）が圧入されると、インサートナット（２４）とサポートメイン（２８）の側面に形成されたスクリュー孔（２８ａ）が対向してケーストップ（２２）の平面部が液晶パネルの縁側に接触するようにケーストップ（２２）とサポートメイン（２８）が組み立てられる。そしてインサートナット（２４）にはスクリュー（２６）が差し込まれた後、締め付けられる。スクリュー（２６）の締結時にインサートナット（２４）とサポートメイン（２８）が共に結合されてケーストップ（２２）が外側に離れることを防止することができる。そうすると液晶パネルとバックライトユニットを支持するサポートメイン（２８）にケーストップ（２２）が図７のようにスクリュー（２６）によって固定される。
【０００９】
【作用】
本発明による液晶表示装置は円形の十字ホール（２２ａ）に圧入されたインサートナット（２４）は、円形ホールに圧入されたインサートナットに比べてスクリュー締結のトルクに耐えることができるので、スクリュー締結時に空回りすることがない。また、本発明による液晶表示装置はスクリュー（２６）と液晶モジュール締結の始めの位置、インサートナット（２４）が液晶モジュールの最外郭に位置するのでスクリュー（２６）とインサートナット（２４）の磨耗によって電導性の異物が発生した場合にも、この電導性の異物が液晶パネル側に入り込むことが無い。
【００１０】
【発明の実施態様】
以下、本発明の実施例を添付した図３乃至図７を参照して本発明の好ましい実施例について説明する。
図３に示したように、本発明による液晶表示装置は、バックライトユニットと液晶パネルが積層されたサポートメイン（２８）と、インサートナット（２４）が圧入されてサポートメイン（２８）と液晶パネルを固定するためのケーストップ（５２）とを具備する。サポートメイン（２８）は、例えば、アーセイとパネルガイド（４２）の間に設置された第１シリコンパッド（５４）と、ポリカーボネートで成形された成形品で、その内部の側面が階段型の段差面に成形される。サポートメイン（２８）の内部の最低層にはバックライトユニットが装着されて、その上に液晶パネルが積層される。このサポートメイン（２８）はインサートナットが圧入されなくて成形時にスクリュー（２６）が差し込まれるスクリュー孔（２８ａ）が形成される。ケーストップ（２２）は図４のように直角に折り曲げられた平面部と側面部を有する四角形のステンレスで製作される。このケーストップ（２２）の側面部には図５ａ及び図５ａに表したように円形の十字ホール（２２ａ）が形成される。円形の十字ホール（２２ａ）にはスクリュー（２６）が貫通するインサートナット（２４）が圧入される。この円形の十字ホール（２２ａ）には図６ａのように上部の外径が円形の十字ホール（２２ａ）の円形ホールの直径以下に成形されて下部の外径が円形の十字ホール（２２ａ）の円形ホールの直径より大きいインサートナット（２４ａ）が内側から外側の方に差し込まれる。このインサートナット（２４ａ）のスクリューホールの直径はサポートメイン（２８）の側面部に形成されたスクリュー孔（２８ａ）のそれと同一である。インサートナット（２４ａ）の材質としては圧着によって形状変形が発生するように剛性が小さい金属、例えば、黄銅を選択することができる。このような初期のインサートナット（２４ａ）はケーストップ（２２）の円形の十字ホール（２２ａ）に差し込まれた状態で上部が圧入されて上部がスクリューホールを中心に外側に離れた図６ｂのように円形の十字ホール（２２ａ）を圧着する。
【００１１】
このようにケーストップ（２２）にインサートナット（２４）が圧入されると、インサートナット（２４）とサポートメイン（２８）の側面に形成されたスクリュー孔（２８ａ）が対向されてケーストップ（２２）の平面部が液晶パネルの縁側に接触するようにケーストップ（２２）とサポートメイン（２８）が組み立てられる。そしてインサートナット（２４）にはスクリュー（２６）が差し込まれた後、締め付けを行う。スクリュー（２６）の締結時にインサートナット（２４）とサポートメイン（２８）が共に結合されてケーストップ（２２）が外側に離れることを防止することができる。そうすると液晶パネルとバックライトユニットを支持するサポートメイン（２８）にケーストップ（２２）が図７のようにスクリュー（２６）によって固定される。
【００１２】
【発明の効果】
上述したように、本発明による液晶表示装置は円形の十字ホール（２２ａ）に圧入されたインサートナット（２４）は円形ホールに圧入されたインサートナットに比べてスクリュー締結のトルクに耐えることができるのでスクリュー締結時に空回りすることがない。また、本発明による液晶表示装置はスクリュー（２６）と液晶モジュール締結の始めの部分、インサートナット（２４）が液晶モジュールの最外部に位置するのでスクリュー（２６）とインサートナット（２４）の磨耗によって電導性の異物が発生した場合にも、この電導性の異物が液晶パネル側に入り込むことが無い。
【００１３】
以上説明した内容を通して当業者であれば本発明の技術思想を一脱しない範囲で多様な変更及び修正の可能であることが分かる。従って、本発明の技術的な範囲は明細書の詳細な説明に記載された内容に限らず特許請求の範囲によって定めなければならない。
【図面の簡単な説明】
【図１】図１は従来の液晶表示装置を表した平面図である。
【図２】図２は図１で線″ＡーＡ′″に沿った断面図である。
【図３】図３は本発明の実施例による液晶表示装置の断面図である。
【図４】図４は図３に図示されたケーストップの斜視図である。
【図５】図５ａは図３に図示されたケーストップに形成された円形の十字ホールを拡大して表す平面図である。図５ｂは図５ａで線″ＢーＢ′″に沿った断面図である。
【図６】図６ａは図３に図示されたケーストップに圧入される前にインサートナットを表す断面図である。図６ｂは図３に図示されたケーストップに圧入された後のインサートナットを表す断面図である。
【図７】図７は図３に図示された液晶表示装置でスクリューが完全に締結された状態を表す断面図である。
【符号の説明】
２：上部基板
４：下部基板
６、８：偏光板
１０：導光板
１２：反射鏡
１４、２０：上／下部拡散シート
１６、１８：プリズムシート
２２：ケーストップ
１６、４６：トップケース
２２ａ：円形の十字ホール
２４、５４：インサートナット
２４ａ：初期のインサートナット
２６、５６：スクリュー
２８、５８：サポートメイン
２８ａ：スクリュー孔
５２ａ：スクリューホール
６２：カバーボトム
【図１】
0003594565.tif 000002
【図２】
0003594565.tif 000003
【図３】
0003594565.tif 000004
【図４】
0003594565.tif 000005
【図５】
0003594565.tif 000006
【図６】
0003594565.tif 000007
【図７】
0003594565.tif 000008